(57)【特許請求の範囲】
【請求項１】
弾性を有する圧搾可能な胴部１の上端部から口頸部２を起立する容器本体Ａと、
上記容器本体Ａの口頸部２外面へ着脱自在に嵌合させた嵌合筒３上端部からフード筒４を起立し、かつ該フード筒４下面を閉塞する鍔状底板５の内周から注出筒６を上記フード筒４内へ起立して、上記注出筒６上面を閉塞する頂壁７に複数の注出孔８を穿設し、更に上記鍔状底板５に弁孔９を穿設したフード部材Ｂと、
上記注出筒６内面へ筒上部を嵌合させて上記容器本体Ａ内へ垂下する吐出筒１１上部に弾性鍔状弁板１２を付設して、該弾性鍔状弁板12で上記弁孔９下面を閉塞させると共に、上記吐出筒１１の上部内面に吐出弁１１ａを設けた弁板付き吐出部材Ｃとを有し、
上記弾性鍔状弁板１２の弾性係数を、上記胴部１圧搾による該胴部内増圧で上記弁板12が上記弁孔９を気密に閉塞し、かつ上記胴部１弛緩による該胴部内負圧化時に上記弁板12が上記鍔状底板５から下方へ離隔して上記弁孔９を開放可能な値に定めた、
ことを特徴とする洗眼容器。
【発明の詳細な説明】
【０００１】
【発明の属する技術分野】
本発明は目の洗浄に使用する洗眼容器に関する。
【０００２】
【従来の技術】
この種の洗眼容器として、例えば実用新案登録第３０３９０１５号に、振動発生手段が内蔵された装置本体と、装置本体に装着可能な洗浄容器とを有する携帯用洗眼具であって、装置本体２の外縁に突起部が設けられ、洗浄容器の開口端は目の周囲に密着可能な形状に形成されると共に、洗浄容器の底部には突起部に嵌合する嵌合凹部が形成されたものが開示されている。
【０００３】
また、特開平９−２２５００３号に、排水タンクと収納部とにより構成される容器と、該容器内に収容された洗浄液ボトルとにより構成され、排水タンクの中央部に形成されたシャワー部に導水管が接続され、収納部にはモーター部とモーター部により動作する送風ポンプとが配設され、送風ポンプには送風管が接続され、導水管と送風管とはその先端部付近で容器の内壁に固着されている保持片により保持され、さらに保持片には外部より導入される洗浄液ボトルの先端が着脱自在に取付けられ、洗浄ボトル内部に延長する送風管の先端開口部は保持片の保持部近くに、また導水管の先端開口部は洗浄ボトルの底部近くに位置せしめてなる携帯可能な洗眼器が開示されている。
【０００４】
【発明が解決しようとする課題】
上記従来例の前者では、振動発生手段としてモータと回転子とを使用し、また後者では洗浄液噴出手段としてモータ部、送風ポンプ、送風管等を使用しているため、両者とも高コストであり、かつ重量も重く、構造も複雑なものとなっていた。
【０００５】
請求項１記載の洗眼容器は、モータ等の駆動源を不要にしてコスト低減化と軽量化及び構造の簡素化を図り、また洗眼液の容器本体への流出を可能にして洗眼液の再使用を可能にし、さらに空気導入孔を弁孔として利用することによりさらなる構造の簡素化を図る。
【０００６】
【課題を解決するための手段】
第１の手段として、弾性を有する圧搾可能な胴部１の上端部から口頸部２を起立する容器本体Ａと、
上記容器本体口頸部２外面へ着脱自在に嵌合させた嵌合筒３上端部からフード筒４を起立し、かつ該フード筒下面を閉塞する鍔状底板５の内周から注出筒６をフード筒４内へ起立して、その注出筒上面を閉塞する頂壁７に複数の注出孔８を穿設し、更に鍔状底板５に弁孔９を穿設したフード部材Ｂと、
上記注出筒８内面へ筒上部を嵌合させて容器本体Ａ内へ垂下する吐出筒１１上部に弾性鍔状弁板１２を付設して、該弾性鍔状弁板で上記弁孔９下面を閉塞させると共に、吐出筒１１の上部内面に吐出弁１１ａを設けた弁板付き吐出部材Ｃとを有し、
上記弾性鍔状弁板１２の弾性係数を、胴部１圧搾による胴部内増圧で弁板が弁孔９を気密に閉塞し、かつ胴部１弛緩による胴部内負圧化時に弁板が鍔状底板５から下方へ離隔して弁孔９を開放可能な値に定めた。
【０００７】
【発明の実施の形態】
以下、本発明に係る洗眼容器の実施形態を図面を参照しながら説明する。
Ａは容器本体で、弾性を有する圧搾可能な胴部１上端から口頸部２を起立する。なお胴部１は通常は縦断面が楕円形状で、かつ横断面が円形状に形成する。
【０００８】
Ｂはフード部材で、容器本体口頸部１外面へ螺合させた嵌合筒３上端から上面楕円形状で、かつ筒上部の長径が下方へ向かうにつれて漸次減少するフード筒４を起立する。そしてこのフード筒４下面を閉塞する鍔状底板５の内周から、高さがフード筒４の上下方向中間部に達し、かつ筒下端部を下方大径のテーパ筒に形成した注出筒６を起立して、該注出筒上面を閉塞する頂壁７に複数の注出孔８を穿設する。
【０００９】
また鍔状底板５の径方向中間部分に複数の弁孔９を周方向に等間隔をおいて穿設する。
さらに鍔状底板５の外周部下面から内筒１０を垂下して、該内筒を容器体口頸部１内面へ着脱自在に嵌合させる。
【００１０】
Ｃは弁板付き吐出部材で、注出筒６内面へ筒上部を嵌合させて容器本体Ａ内へ垂下する吐出筒１１上部に弾性鍔状弁板１２を付設し、該弾性鍔状弁板の内周部を上方へ傾斜させると共に、外周部を内周部よりも肉薄に形成して、該肉薄部を鍔状底板５下面へ接触させて弁孔９を閉塞する。
さらに、吐出筒１１の上端部内面に吐出弁１１ａとしての玉弁を設ける。
【００１１】
次に、本実施形態の作用について説明する。
洗眼するには、図３に示すようにフード筒４上端を目の周囲に接触させて胴部１を手で圧搾すればよく、すると胴部１内が増圧して弾性鍔状弁板１２が弁孔９を気密に閉塞すると共に、洗眼液が吐出筒１１内を上昇し、吐出弁１１ａを開いて注出孔８から吐出して目を洗浄する。洗浄後の洗眼液はフード筒４内に貯留する。
【００１２】
圧搾後、胴部１を弛緩すると、胴部１は弾性変形抵抗力により元の形状に戻るため、胴部１内が負圧化する。すると弾性鍔状弁板１２が鍔状底板５から下方へ離隔して弁孔９が開き、フード筒４内の洗眼液が弁孔９から容器本体Ａへ流入する。
なお、胴部内負圧化時、吐出弁１１ａは閉じているため、空気が胴部１内に流入することがない。
また、注出筒６下端部はテーパ筒に形成されているため、洗眼液がフード筒４内に残ることがない。
【００１３】
このように弾性鍔状弁板１２は胴部１の圧搾、弛緩による胴部内の圧力変化に応じて弾性変形して弁孔９を開閉するものであるため、その弾性係数は胴部１内の圧力変化により弁孔９を開閉可能な値に定める。
なお、使用後の洗眼液は、フード筒４を容器本体口頸部１から螺脱させることにより交換可能である。
【００１４】
【発明の効果】
請求項１記載の洗眼容器は、胴部圧搾により洗眼液を吐出させるため、モータ等の駆動源が不要であり、このためコスト低減化と軽量化及び構造の簡素化が図れる。
またフード筒に弁孔を設けて洗眼液の容器本体への流出を可能にしたので、洗眼液を再使用することができる。
さらに胴部が元の形状に戻るのに必要な空気取入れのための空気導入孔を弁孔として利用するので、上記と相まってさらに構造の簡素化が図れる。
【図面の簡単な説明】
【図１】本発明に係る洗眼容器の半断面図。
【図２】同じく、図１の平面図。
【図３】同じく、洗眼時の状態を示す説明図。
【符号の説明】
１  胴部
２  口頸部
３  嵌合筒
４  フード筒
５  鍔状底板
６  注出筒
７  頂壁
８  注出孔
９  弁孔
１１  吐出筒
１１ａ  吐出弁
１２  弾性鍔状弁板
Ａ  容器本体
Ｂ  フード部材
Ｃ  弁板付き吐出部材
【図１】
0003771060.tif 000002
【図２】
0003771060.tif 000003
【図３】
0003771060.tif 000004